(57)【要約】【課題】  和服あるいは帯をユーザ端末から選択するときに、それらと自己の顔や姿との相性を画面上で確認してネットワークにより購入あるいはレンタルできるようにする。【解決手段】    情報保存手段は、複数の着用物品に係る画像及び複数の前記ユーザの顔の画像がそれぞれ個別の画像として、同一の座標上の異なった所定の座標位置に配置された画像を読み出し可能に記憶し、合成手段は、ユーザの顔の画像であって所定の座標位置の配置された画像と、ユーザが選択した着用物品に係る画像であって所定の座標位置に配置された画像とを情報保存手段より読み出して、同じ座標上で重ね合わせることによってユーザが前記特定の着用物品を着用したかのように合成、ユーザに視認可能に表示させる構成とした。【選択図】    図１
2006350979.tif 000002
【特許請求の範囲】
【請求項１】
ユーザ端末からネットワークを介してアクセス可能にされ、少なくとも着物を含む着用物品に係る商品情報提供装置であって、複数の着用物品に係る画像、及びユーザの顔の画像を読み出し可能な個別の画像情報として記憶する情報保存手段と、前記情報保存手段から複数の前記着用物品に係る画像を、ユーザ端末で選択可能にネットワークに提供する通信手段と、該通信手段が一ユーザ端末から特定の着用物品に係る画像が選択されたことを受けて、前記一ユーザ端末に係るユーザの顔の画像と前記情報保存手段から読み出して、該一ユーザ端末に係るユーザの顔の画像と前記特定の着用物品の画像とを合成し、該合成した画像を前記通信手段を介して前記一ユーザ端末へ送付させる合成手段と、を備えたことを特徴とする着用物品に係る商品情報提供装置。
【請求項２】
前記情報保存手段は、複数の着用物品に係る画像及び前記ユーザの顔の画像がそれぞれ個別の画像として、同一の座標上の異なった所定の座標位置に割り当てられた画像を読み出し可能に記憶し、
前記合成手段は、前記一ユーザ端末に係るユーザの顔の画像であって前記所定の座標位置の配置された画像と、前記特定の着用物品に係る画像であって所定の座標位置に配置された画像とを、前記情報保存手段より読み出して、同じ座標上で重ね合わせることによって前記一ユーザが前記特定の着用物品を着用したかのように合成することを特徴とする請求項１に記載の着用物品に係る商品情報提供装置。
【請求項３】
前記情報保存手段は、複数の着用物品に係る画像及び前記ユーザの顔の画像がそれぞれ個別の画像として、同一の座標上の異なった所定の座標領域に割り当てられた画像を読み出し可能に記憶し、
前記合成手段は、前記一ユーザ端末に係るユーザの顔の画像と前記特定の着用物品に係る画像とを、前記情報保存手段より読み出して、同じ座標上で各画像をそれぞれに割り当てられた座標領域に配置することによって前記一ユーザが前記特定の着用物品を着用したかのように合成することを特徴とする請求項１に記載の着用物品に係る商品情報提供装置。
【請求項４】
ユーザ端末と、前記ユーザ端末からにネットワークを介してアクセス可能にされ、少なくとも着物を含む着用物品に係る商品情報を保存するサーバとを含む商品情報提供システムであって、
前記サーバは
複数種類の着用物品の画像、及び前記複数種類の着用物品のそれぞれが異なる所定の座標上に配置された該複数の画像を記憶する第１の情報保存手段と、前記第１の情報保存手段から複数の前記着用画像を、ユーザ端末で選択可能にネットワークに提供する第１の通信手段と、を備え、
前記ユーザ端末は、
表示手段と、前期ユーザ端末のユーザの顔の画像を前記所定の座標と同一の座標上で前記着用物品の配置と異なる位置に配置して、読み出し可能に記憶する第２の情報保存手段と、前記第１の通信手段を介して前記着用物品の画像を受けて、前記表示手段に選択可能に表示させる第１の通信手段と、前記表示手段に表示された画像から特定の着用物品の画像が選択されたことを受けて、前記ユーザ端末のユーザの顔の画像を前記第２の情報保存手段から読み出し、前記第２の通信手段を介して前記第１の記憶手段から前記特定の着用物品の所定の座標上に配置された画像を読み出して、該ユーザの顔の画像と前記特定の着用物品の画像を前記ユーザが前記特定の着用物品を着用したかのように合成し、該合成した画像を前記表示手段に表示させる合成手段と、を備えたことを特徴とする商品情報提供装置。
【請求項５】
予め、複数の着用物品に係る画像及び前記ユーザの顔の画像を同一の座標上の異なった所定の座標領域に割り当てられたそれぞれ個別の画像情報として記憶する前記情報保存手段と、
表示手段と、
表示された各個別画像から所望の画像を選択するための操作手段と、
前記操作手段によって選択されたユーザの顔の画像及び着用物品に係る画像に対応する各画像情報を前記情報保存手段から受けて、同じ座標上でそれぞれの画像に割り当てられた前記所定の座標領域に配置することによって前記ユーザが前記選択された着用物品を着用したかのように合成する前記合成手段とを備えた着用画像合成装置。
【発明の詳細な説明】
【技術分野】
【０００１】本発明は、ネットワークで和服、洋服及びそれらに係る物品を含む着用物品に係る商品情報を提供する技術に関する。特に、顧客が、所望の着用物品、例えば、和服あるいは帯をユーザ端末から選択するときに、それらと自己の顔や姿との相性を画面上で確認してネットワークにより着物（以下、「着物」は、洋服、和服を含む。）を購入あるいはレンタルすることができる技術、及び相性を画面上で確認可能な着用画像を合成する技術に関する。
【背景技術】
【０００２】従来から、ネットワークとしてインタネットを用いた物品またはサービスの販売やレンタルは広範に行われており、着物のレンタルでは着物を着た女性の、あるいは着物の写真を複数並べカラー画像上で画面を見ながら選択ができるようになっている。画面による選択は販売店へ出向かなくて良いというメリットがある。【０００３】しかし、ユーザ端末上では、試着ができないため画面で自分に似合うかどうかを確認することができないという問題があった。技術的には、ユーザ端末で試着できるとしても、試着した画像を確認する作業に対して、実用に耐える時間（スピード）で提供することが難しいという問題があった。つまり、本来存在する場所が異なる着物と顔を、着物の変更に合わせて短時間で自然さを保ちながら、表示させることは技術的処理上の困難さが伴っていた。さらに個人の顔の画像などをインタネット上でやり取りすることは悪意のある者の利用の可能性を考えたときに危険性があった。【０００４】また、販売対象の着物は事業者の手持ちの範囲に制限されるという問題があった。ユーザにとって購入は費用負担が大きいという問題がある。さらに既に購入しているものも着用する機会が少なくほとんど使用していないので有効利用したいが、譲るのは抵抗があり生かされにくいという問題があった。
【発明の開示】
【発明が解決しようとする課題】
【０００５】本発明は上述した問題点を解決するためのものであり、その目的とするところは、（１）例えば、デジタルカメラで撮影された着物や帯等の着用商品をユーザ端末で自由に選択できることに加え、その選択された着物や帯とユーザの顔を合成して表示し、似合いを確認しながら選択できるようにすることである。（２）また他の目的は、合成の過程を所定の大きさ位置に画面を統一し合成を行う処理を同一の画素（座標位置）上に固定することにより、自然らしさを確保しながら、多数の範囲からのユーザ選択時においても実用的な時間で合成できる方法及び装置を提供することにある。【０００６】また、他の発明の目的はユーザ側コンピュータ上で合成を行うことにより、事業者のサーバで合成を行った時にユーザからのアクセス数の増加に対するサーバの処理能力不足に起因するユーザの待ち時間が増加するという問題に対して実用的な時間を確保することと、事業者のサーバ上に顔の画像情報を置かないことにより、悪意の使用の可能性をなくす方法を提供することにある。また、他の発明の目的は着物や着物や帯の一時借り入れを行うものを対象とすることにより、ユーザの選択範囲を大幅に増やし、かつ着物保持者においてはほとんど使用されていない着物や帯の有効利用を図ることが可能にし着物や帯の貸借マーケットを構成することである。また、他の発明の目的は合成に際し画素単位でどのデータを使用するかの判断を行う部分をあらかじめ決められた範囲にせばめ合成処理全体の時間を短縮することである。また他の発明の目的は画素の合成に画像データを用いた判断を行わずにあらかじめ決められた位置の情報のみで行うことにより処理上の判断にかかる時間を大幅に減少させ合成処理全体の時間を短縮することである。
【課題を解決するための手段】
【０００７】  上記目的と達成するために、請求項１に記載の発明は、ユーザ端末からネットワークを介してアクセス可能にされ、少なくとも着物を含む着用物品に係る商品情報を提供するサーバであって、複数の着用物品に係る画像、及びユーザの顔の画像を読み出し可能な個別画像情報として記憶する情報保存手段と、前記情報保存手段から複数の前記着用物品に係る画像を、ユーザ端末で選択可能にネットワークに提供する通信手段と、該通信手段が一ユーザ端末から特定の着用物品に係る画像が選択されたことを受けて、前記一ユーザ端末に係るユーザの顔の画像と前記情報保存手段から読み出して、該一ユーザ端末に係るユーザの顔の画像と前記特定の着用物品の画像とを合成し、該合成した画像を前記通信手段を介して前記一ユーザ端末へ送付させる合成手段と、を備えた。【０００８】  請求項２に記載の発明は、請求項１に記載の発明において、前記情報保存手段は、複数の着用物品に係る画像及び前記ユーザの顔の画像がそれぞれ個別の画像として、同一の座標上の異なった所定の座標位置に割り当てられた画像を読み出し可能に記憶し、
前記合成手段は、前記一ユーザ端末に係るユーザの顔の画像であって所定の座標位置の配置された画像と、前記特定の着用物品に係る画像であって所定の座標位置に配置された画像とを、前記情報保存手段より読み出して、同じ座標上で重ね合わせることによって前記一ユーザが前記特定の着用物品を着用したかのように合成する構成とした。【０００９】  請求項３に記載の発明は、請求項１に記載の発明において、前記情報保存手段は、複数の着用物品に係る画像及び前記ユーザの顔の画像がそれぞれ個別の画像として、同一の座標上の異なった所定の座標領域に割り当てられた画像を読み出し可能に記憶し、
前記合成手段は、前記一ユーザ端末に係るユーザの顔の画像と前記特定の着用物品に係る画像とを、前記情報保存手段より読み出して、同じ座標上で各画像をそれぞれに割り当てられた座標領域に配置することによって前記一ユーザが前記特定の着用物品を着用したかのように合成する構成とした。【００１０】  請求項４に記載の発明は、ユーザ端末と、ユーザ端末からにネットワークを介してアクセス可能にされ、少なくとも着物を含む着用物品に係る商品情報を保存するサーバとを含む商品情報提供システムであって、
前記サーバは
複数種類の着用物品の画像、及び前記複数種類の着用物品のそれぞれが異なる所定の座標上に配置された該複数の画像を記憶する第１の情報保存手段と、前記第１の情報保存手段から複数の前記着用画像を、ユーザ端末で選択可能にネットワークに提供する第１の通信手段と、を備え、
前記ユーザ端末は、
表示手段と、前期ユーザ端末のユーザの顔の画像を前記所定の座標と同一の座標上で前記着用物品の配置と異なる位置に配置して、読み出し可能に記憶する第２の情報保存手段と、前記第１の通信手段を介して前記着用物品の画像を受けて、前記表示手段に選択可能に表示させる第１の通信手段と、前記表示手段に表示された着用画像から特定の着用物品の画像が選択されたことを受けて、前記ユーザ端末のユーザの顔の画像を前記第２の情報保存手段から読み出し、前記第２の通信手段を介して前記第１の記憶手段から前記特定の着用物品の所定の座標上に配置された画像を読み出して、該ユーザの顔の画像と前記特定の着用物品の画像を前記ユーザが前記特定の着用物品を着用したかのように合成し、該合成した画像を前記表示手段に表示させる合成手段と、を備えた。【００１１】請求項５に記載の発明は、予め、複数の着用物品に係る画像及び前記ユーザの顔の画像がそれぞれ個別の画像として、同一の座標上の異なった所定の座標領域に割り当てられた画像を読み出し可能に記憶する前記情報保存手段と、
表示手段と、
表示された各個別画像から所望の画像を選択するための操作手段と、
前記操作手段によって選択されたユーザの顔の画像及び着用物品に係る画像とを、同じ座標上でそれぞれの画像に割り当てられた座標領域に配置することによって前記ユーザが前記選択された着用物品を着用したかのように合成する前記合成手段とを備えた着用画像合成装置。
【発明の効果】
【００１２】例えば、ネットワークによる着物レンタルや着物販売において、本発明は、デジタルカメラで撮影された着物や帯等の着用物品に加えユーザの顔の画像情報を、ユーザ端末で自由に選択できることに加え、その選択された着物や帯とユーザの顔を合成して、表示する構成なので、似合いを確認しながら選択できるという効果が得られる。またそれぞれ同一の画像座標上の位置大きさを統一化された、少なくとも一部を互いに分離された状態で記憶し、ユーザの選択に合わせ合成を行う合成の過程を同一の座標（画素の配置）上での処理に限定し単純した合成手段を備え、合成結果をユーザ端末上に表示することにより、着物または帯とユーザの顔との似合いを検討するさい、画面上で着用する着物または帯をユーザ端末（コンピュータ）からの要求に応じて変更して端末上で表示して確認できるという効果が得られる。また他の効果は、合成をユーザ端末上で行うことにより、アクセス数の増加に伴い、事業者のサーバの能力不足によるユーザの待ち時間の増加に対しても選択時の実用的な時間を確保できる。また事業者のサーバにおける処理の複雑化を避けることができる。さらにユーザの顔の画像情報をサーバ上に置かないことにより顔の悪意のある使用の危険性から守ることができる。また合成に際し画素単位でどのデータを使用するかの判断を行う部分をあらかじめ決められた範囲にせばめ合成処理全体の時間を短縮するにより合成処理全体の時間を短縮の効果が得られる。また画素の合成に画素の画像データによる判断を行わずにあらかじめ決められた位置の情報のみで行うことにより判断にかかる処理時間を大幅に減少させ合成処理全体の時間を短縮する効果が得られる。
【発明を実施するための最良の形態】
【００１３】［実施形態の全体構成］
図１は本発明に係る通信ネットワークを利用した実施形態の概略機能ブロック図である。図１は、ユーザ端末３００からネットワーク２００を介して、事業者側が商品情報を提供するサーバ１００にアクセス可能することによって、ユーザは、少なくとも着物を含む着用物品に係る商品情報を受け取ることができる構成を示す。例えば、ユーザは、商品情報の中かから、着物を選択し、自己に似合う着物を確認し、貸し出し、又は購入ができる構成である。以下、具体的に、図を用いて説明する。【００１４】図１において、サーバ１００は、商品情報を提供する事業者のサーバであって、情報保存手段１０１、表示情報作成手段１０３、通信手段１０４、受注等の情報受付手段１０５、画像合成手段１０２、及びそれらを制御するサーバ制御手段１０６を備える。ユーザ端末３００は、通信手段３０１、情報保存手段３０２、表示手段３０３、情報入力手段３０４、及びそれらを制御する端末制御手段３０５を含んで構成される。事業者端末４００は、サーバ１００を管理するためのものであり、特に画像データ等をサーバへ送る。【００１５】  情報保存手段１０１は、予め、（イ）通常に着物を着用した状態の画像情報（以下、「通常着用画像情報」という。）、（ロ）本実施形態で用いられる合成（後記）が可能なように処理された、着物や帯の着用物品の画像情報及びユーザの顔の画像情報（纏めて以下、「処理後個別画像情報」という。）、（ハ）それらの画像情報に付帯する付帯情報、及び（ニ）着用等の商品の紹介情報、案内情報や受注入力フォーマットを記憶する。また、（ホ）上記（イ）〜（ロ）の情報を基にインタネット上に提供するためのＷＥＢ用の画面情報（以下、「ＷＥＢ画面情報」と言う。）及びそれらの付帯情報等を記憶することがある。通常着用画像情報や、処理後個別画像情報等は、事業者端末４００から編集されて送られてくる。【００１６】ここで用語を説明する。通常着用画像情報とは、図２のようにモデル等が着物を着用した通常の状態の画像情報である。処理前画像情報とは、デジタルな画像情報、例えば、デジタルカメラで撮られたままの画像情報であり、着物、帯、ユーザの顔などの画像情報を少なくともいずれかを含む。処理後個別画像情報とは、前記処理前画像情報から、着物、帯、顔等の個別の対象毎に分離し位置や大きさの調整、不用部分の削除、又は／及び予備画面の大きさの設定などの処理を行った画像情報である。合成後着用画像情報とは、前記処理後個別画像情報に含まれる着物、帯、ユーザの顔などの個別画像情報を後記の合成手段１０２で合成し、通常の着用状態を作り出した画像情報である。図２と同様の形態になる。【００１７】ＷＥＢ画面情報としては、代表的には、着用ＷＥＢ画面情報と合成後ＷＥＢ画面情報とがある。着用ＷＥＢ画面情報とは、合成後着用画像を使用せずに、図３のように通常着用画像情報を例えば複数に含むＷＥＢでの公開用の画面の情報で、付帯情報なども含まれることがある。合成後ＷＥＢ画面情報とは、合成後着用画像情報を、例えば複数に含むＷＥＢでの公開用の画面の情報である。次に記載の付帯情報なども含まれることがある。表示形態は図３と同様である。付帯情報とは、着物や帯のサイズや設定価格、付属品���有無やその内容などユーザの商品選択に必要な情報と、事業者の管理用に必要な商品番号、現在の貸し出し予定日など画像以外の商品に付帯する情報を含む。受注入力フォーマットとは、図４のようにユーザが商品を選択する時にＷＥＢ上に表示されそこへ必要情報を入力し受注情報として事業者に送信する時に用いられるフォーマットである。識別情報とは、ユーザが選択した商品の情報で、選択した着物の番号などである。【００１８】画像合成手段１０２は、着物や帯やユーザの処理後個別画像情報を用いてそれらを合成して着物と帯を着用したユーザの画像（合成後着用画像情報）を作成する。画像合成手段１０２はプログラムを実施することにより達成され、着物や帯、顔の画像情報から、一枚の合成画像情報を作成する（詳細は後記する。）。【００１９】表示情報作成手段１０３は、情報保存手段１０１内に記憶された情報をインタネットを介してユーザ端末３００で閲覧可能に提供するようにＷＥＢ画面情報を作成する。通信手段１０４は、ＷＥＢ画面情報を、インタネットを介してユーザに公開し、あるいはユーザからの選択情報を受信する。またＷＥＢ画面情報を見たユーザからの選択情報に対し着物や帯や顔の画像情報（処理後個別画像情報）を送信するものである。受注受付手段１０５はＷＥＢ画面情報を見てユーザが選択した商品の選択情報やユーザの識別情報など基本的な情報を保存しておくためのものである。サーバ制御手段１０６はこれらの動作を制御する。【００２０】ユーザ端末３００における通信手段３０１は、サーバ１００が提供するＷＥＢ画面情報を受信し、またＷＥＢ画面情報の中からユーザによって選択された情報を事業者に送信する。情報保存手段３０２はサーバ１００より送信されてくる着物や帯の処理後個別画像情報や、あるいは合成後の画像情報（合成後着用画像情報）を記憶する。表示手段３０３は、サーバ１００により送られてくるＷＥＢ画面情報の表示や、着物などを着用した人物の合成された画像を含む画面を表示する。情報入力手段３０４はユーザがＷＥＢ画面情報を選択する時の識別情報や、画像情報を閲覧した結果、選択した着物や帯等の商品の情報の入力を行うためのものである。制御手段はこれらの動作を制御するためのものである。【００２１】［第１の実施形態］
次に本実施の形態についてフローを用いて説明する。
［１−１  事前処理］
まず事業者端末４００の編集手段４０２による画像情報の事前処理、とその保存について説明する。事業者はデジタルカメラにより着物や帯を人物に着用された状態でＷＥＢ上の閲覧に供するための画像情報としてモデルなどに着用された着物の画像情報（通常着用画像情報）と、合成に使用するための画像情報であって処理を行う前の画像（処理前画像情報）として、着物、帯などの着用物品（商品）の画像情報を撮影する（図２を参照）。通常着用画像情報を取得する理由は、ユーザに提供する合成画像だけでは配置が固定され変化がとぼしく、合成時の不自然さが残る、などの傾向があるあるために、さらにユーザが着物を違和感なく選択できるようにするために通常着用の自然な姿の画像を提供するのである。ユーザは自分の顔のデジタル写真（処理前画像情報）を事業者に送る。この時、好ましくはできあがる画面の概略のイメージ（姿勢、顔の向き、着物の柄の見せ方）にあうようにする必要がある。デジタル写真の画面に対する厳密な位置あるいは大きさは問わない。また顔、着物等の画像情報は処理後に個別に扱われるので別個の撮影でもかまわない。さらにデジタル写真のピクセル（画素）数はこの時点では必要な詳細さが得られる数であれば特に規定しなくてもよい。【００２２】事業者端末４００において撮影されたモデルなどに着用された着物の画像情報（通常着用画像情報）は着物や帯の種類や価格など（付帯情報）により分類し、編集手段４０２により、さらに分類されたグループ毎に複数の着物または帯を表示させたＷＥＢ画面情報を作成する。このＷＥＢ画面情報としては、モデルなどに着せた状態（通常着用画像）で表示ですることが多いので着用ＷＥＢ画面情報を作るが、着物又は帯を単体で表示する場合もあるので、単体用のＷＥＢ画面情報も生成しておく。ＷＥＢ画面情報は、実際には、ＨＴＭＬなどの言語を使いネットワークに公開できるようなＷＥＢ画面を作る。通常着用画像情報、付帯情報及び作成されたＷＥＢ画面情報は情報保存手段１０１に保存する。着物、帯、及びユーザの顔等の処理前画像情報は、通常着用画面情報とは別に、合成に使用できるようは事業者によって処理が行われ、処理後個別画像情報として情報保存手段１０１に記憶させる。【００２３】  （合成のための前処理）
編集手段４０２により行われる、合成に使用できるようにするための前処理は、事業者端末（コンピュータ）と画像処理ソフトを用いて、事業者の操作に基づいて行われる。合成に使用できるようにする処理の内容は、画面の大きさの統一化、各画像要素の位置と大きさの決定と不用部分の削除、合成時に合成方法を判別するための情報の作成である。【００２４】以下に、詳細な内容を説明する。事業者では、合成された時の全体像をイメージしながら、画素（ピクセル）単位での画面の大きさ（縦横ピクセル数）、ピクセル位置で表される座標における着物、帯、顔などの個別要素の大きさ、位置を決めておく。そして、合成用の素材として、デジタルカメラで撮影された個別要素の撮影画像（処理前画像情報）を基に、大きさ、位置を統一した画像（処理後画像情報）を作成しておく。例えば、図５に示すように画面全体のピクセル上の座標として横１２００ピクセル、縦９００ピクセルの画面を考え、この座標を左下を横０と縦０にし、右上を横１２００、縦９００にした場合（これらをそれぞれ（０、０）、（１２００、９００）のように座標形式で表現する。以下同じ。）、その座標の横方向３００の位置に人物が立っている画面を考える。着物の座標は（３００、７００）のえりの位置と（３００、１００）のすその位置の間に、顔の座標は（３００、８００）の頭の上の位置と（３００、７００）の首の位置の間に、また帯の座標は（３００、５５０）と（３００、４５０）の間にそれぞれ配置するなどを想定し決定する。例えば、このように大きさ、位置を統一した個別画像（処理後画像情報）の例を図７に示す。図７は、統一されて作成された処理後画像情報である「着物及び背景の図」、「顔の図」及び「帯の図」があり、「着物及び背景の図」に「顔の図」及び「帯の図」を重ねて合成する場合を示している。【００２５】このようにすれば、図６（３）と（４）の２ケの画面間においては、顔の座標は（３００、８００）の頭の上の位置と（３００、７００）の首の位置の間に、帯を（３００、５５０）と（３００、４５０）の間に配置するように統一化してあるので、その部分の画像を次々と交換しても一つの着物を着た像として扱える。図６（１）と（２）間では、個々の画像の大きさ、位置が異なるため、２ケの画面間で、個別の対象の交換が困難である。例えば、図６（１）の適した帯の画像は、図２（２）の画像では大きすぎて適しない。【００２６】次に画面の合成の過程を理解する助けになる概念としてレイヤ（層）を説明する。デジタル画像は前述したように縦横のピクセル毎（本件では横１２００、縦９００）に３色の基本色の強さを表すデータの集合としてできている。そのデータを元に画面の個々の表示ドットを発光させることにより画面として表示される。（ただし画像の撮像時のピクセル数と表示させる表示画面のドット数とは必ずしも一致はせずに画像としての関係を維持しながら変換され表示されている。）上記のような複数の画像から一枚の画像へ合成を行う時に使用する概念としてレイヤがある。レイヤの概念を図７に示す。レイヤは前後方向に並べられた複数の異なる画像を有する画面の一枚一枚とする。図７に示すように３枚の個々の図（画面）には、背景を含んだ着物、顔、帯（顔の図、及び帯も図においては、それぞれ顔の画像、帯の画像以外のスペースは透明である。）がそれぞれ、上記した座標（ピクセル）位置に当てられている。画面の大きさ（縦横のピクセル数に相当）は前述してあるようにそれぞれ同一である。したがって、図７において３枚の画面を重畳して合成した合成後の画像は、表面の一部に画像があるガラス状に複数の画面を前後方向に重ねて一枚の画面として前方から見ることに相当すると考えられる。この場合、後ろに配置された画面にある部分をみたい場合にはその前方の画面のその部分（座標）は透明でなければならない。図６のように、顔を前方において後方に背景を含む着物を配置した場合、顔の画面（レイヤ）の顔以外の部分で、着物や背景に相当する位置（座標）では視覚的に透明にする必要がある。同様に帯においても、帯を前方に配置し後方に背景を含む着物を配置した場合、帯の画面（レイヤ）の帯以外の部分で、着物や顔背景に相当する位置（座標）では視覚的に透明にする必要がある。【００２７】また画像情報はピクセル単位で見ると、図８に示すように、基本的に色の３基本色それぞれの強さを表す３ケのデータが画像を構成するピクセル１ポイント毎にある。＆は１６進数を示す。＆ＦＦは２５６の量を示し、８ビットのデータの最大値である。画像全体のピクセル数は縦のピクセル数×横のピクセル数で決まり、全体では３基本色分に対応して３倍のデータを持つ。（ビットマップ形式）ただし必要な記憶媒体の容量を削減するために、圧縮された情報にされることが多い。（ＪＰＥＧ形式など）  互いに変換が可能（情報の完全な一致は必ずしも厳密には保たれないが）である。ピクセル単位毎の合成の過程を図９により説明する。図９は、背景が緑色の場面にある顔をそれぞれの処理後個別画像情報として［着物＋背景］の画像情報、顔の画像情報、帯の画像情報の、３つのレイヤのデータとして、座標水平方向の１本の線上（例えば顔の頬付近）のピクセル個々の値の例を示したものである。背景を含む着物のレイヤと、顔のレイヤと帯のレイヤの各データを単純化して表現している。例えば、顔のデータ（「顔画面レイヤ」の肌色、つまり、Ｒ：＆ＦＦ，Ｇ：＆ＤＦ、Ｂ：＆Ｅ５）がある座標では顔のレイヤのデータを使用し、それ以外では［背景を含んだ着物レイヤ］のデータ（緑色、つまりＲ：＆００，Ｇ：＆ＦＦ、Ｂ：＆００）を使用することによって顔の部分の合成後のデータが得られる。このようにデータを選択することにより、初めは複数の個別の画像をレイヤ複数にそれぞれ配置された状態から、合成によりそれらを最終的に一枚の画像にすることができる。同様に図１０では胴の部分を水平方向に見たとき（背景、袖、帯、袖、背景）の合成の様子をレイヤ毎のデータを見ながら示している。これらの例では前後方向の配置として背景を含む着物のレイヤを最背面に次に顔のレイヤを、最前面に帯のレイヤを配置している。【００２８】図１１は、合成手段１０２による合成にあたり画像情報のデータを採用するかを判断する場合のフローチャートを示す。具体的には以下のように合成前の画像に対応する複数のピクセルデータより合成後のピクセルデータとして、どれを採用するかの判断を行っている。��こでは全座標に渡り１ピクセル毎に判断を行っている場合の例を示す。以下、図１１のステップ番号（Ｓ番号）にしたがって、説明する。
ステップＳ１：合成手段１０２は、編集する画面のピクセル番号１〜最終ピクセル番号までどのデータを採用するか判断を開始する。
ステップＳ１、Ｓ３、Ｓ７：ピクセル単位で図９におけるようなデータをサーチし、顔のデータであれば（Ｙ）、顔のデータを採用し、そのデータのピクセル位置（座標）を記憶する。
ステップＳ４、Ｓ５、Ｓ７：顔のデータでなければ（Ｎ）、帯のデータかどうか判断し、帯のデータであれば（Ｙ）、帯のデータを採用し、そのデータのピクセル位置（座標）を記憶する。
ステップＳ６、Ｓ７：顔のデータ、帯びのデータでなければ、着物＋背景のデータを採用し、そのデータのピクセル位置（座標）を記憶する
ステップＳ８、Ｓ９、Ｓ１０：このようにして、最終ピクセル番号までデータを収集して、各編集しようとするピクセル位置（座標）に収集したピクセル位置のデータを当てる事により、合成される。【００２９】次に、このような合成に使用できるような個々の画像情報（処理後個別画像情報）の作成手順を説明する。まず処理前情報画像に対し最初に必要部分以外の画像情報を削除する処理を行う。帯の場合の例では撮影した画像帯の部分のデータを残し、背景にある不用部分を削除するなどである。次に対象とする複数の着物、帯、顔の画像を上記のように各画像ともまったく同一に設定された座標上の決められた位置に配置する。合成を行う手段として市販の画像処理ソフトウェアを考えた場合、画像の一部分を次々に交換するという用途は想定されておらず、視覚上の好悪に合わせて位置の変更されることを前提としているため、本件のような画像の一部分を次々に交換する合成には用いられない。市販の画像処理ソフトウェアでは視覚による配置の決定後、配置された２枚あるいはさらに多い画像の間でそれぞれの画素が視覚上どう対応しているかを計算で求め、次に対応する画像データ間で、処理を行う。この方法では視覚上の確認が容易に得られるが、処理の内容が複雑で、処理速度が遅くなるとともに、扱いが難しく、自動化も難しい。このため本実施形態では着物、帯、顔などの（合成するための）各素材の配置位置を上記したように画素（ピクセル）の位置に対応つけてはじめから決め、その位置を基準として合成するようにしたことから、合成時の扱いが簡単になるようにしている。つまり、合成時に視覚上の確認を必要としない。そのために、多数の着物や帯や顔の処理前画像に対して、同様の配置処理を行い、すべて同一の画面上の座標位置に置かれている画像情報として統一化あるいは基準化して保存する。【００３０】合成時に不要とする処理を予定している場合は、それぞれの画像の不要部分に、意味のないデータであるということが合成時に判別できるデータを作成したり、背景のデータを作成したりする。例えば、図１０でも示されているように３基本色としてＲＧＢ表現を用いたビットマップ形式の画像情報での、帯を写した画像で帯以外の部分は、Ｒ，Ｇ，Ｂそれぞれの輝度を最大の情報（１６進データＦＦ，ＦＦ，ＦＦ）を持たせるなどして後に判別に使用する。このようにして作成された合成に使用される着物や帯の個別の情報（処理後着物画像情報、処理後帯画像情報）は事業者が保持するサーバにある情報保存手段１０１に記憶される。一方着物を借りたいと考えているユーザは自分の顔の画像を事業者に送付し事業者により着物や帯と同様の内容の処理を受けことにより登録を済ませてある。作成された情報（処理後顔画像情報）は事業者事業者のサーバ内の情報保存手段に保存される。【００３１】なお本件のように多数の合成を扱う一つの方法として事前に、ユーザの顔と着物の合成写真の必要性を考慮して、すべて作ってそれを表示するという方法が考えられるが、まだユーザが目的の着物を選択していない状態では、ユーザの数（少なくとも現在商談の可能性があるユーザの数（Ａ））と、扱える着物の数（Ｂ）の掛け算分（Ａ＊Ｂ）の画像データを保存しなければならない。これには大きなメモリ容量を必要とするため、実用的でない。【００３２】［１−２商品選択処理］
次に実際にユーザによる商品を選択する過程について説明する。上記の事前処理が行われ処理後画像情報が情報保存手段１０１に保存が行われている状態で、ユーザが実際に借用品を選択する時は以下のように行われる。【００３３】先ず、表示情報作成手段１０３は図３のようなＷＥＢ画面情報を、通信手段１０４を介してインタネットへ公開する。ユーザはインタネット及び通信手段３０１を介してＷＥＢ表示情報を受信し、表示手段３０３により表示させて、閲覧する。このＷＥＢ表示情報は、通常着用画像情報であって、付帯情報である着物の種類や価格などにより分類された、複数の画面である。ユーザはそれらの画面を切り替えながら、着物等の候補を情報入力手段３０４により選ぶことができる。また価格等の着物に付帯する情報は着物の表示と同時に閲覧することができ参考にされる。情報入力手段３０４により選ばれた候補の識別情報は、通信手段３０２を介して事業者に送られる。合成手段１０２はその識別情報をもとに、情報保存手段１０１から、処理後着物画像情報、処理後帯画像情報、処理後顔画像情報を呼び出して合成する。また合成された情報、例えば、着物、顔、帯が合成された合成後画像情報として、さらに一旦別途保存され、次の表示や合成画像情報を複数含む画像など別形態の画像表示に使用されても良い。合成過程は、前述したように例えば着物、顔、帯の処理後画像情報を構成説明したように、同一座標上のピクセル毎に、単一の画像データとしてどれかを選択するという処理により行う。レイヤとして前方にある意味のある画像データ（例えば着物に対し前方に配置される顔のデータ）が存在する時にはそれを選択し、その後方の情報（顔以外のデータ）を無視して一枚の画像情報を作成するという方法により行う。この方法は合成段階では対応する画素を視覚上で考慮する過程が必要ない。【００３４】さらに合成後着用画像を複数含む画像を作成後ＷＥＢ画面情報として情報保存手段に保存される。ユーザは先に選択した着物についての表示形態の合成後着用画像をＷＥＢ画面において図３のような一覧表示あるいは図２のような単独の候補のみの合成後着用画像を通信手段１０４、ネットワークを介してユーザの表示手段３０３上でみることができる。ユーザは似合うかどうかを確認しながら、最終の選択を行う。選択された着物の情報を、事業者側サーバより通信手段を介して呼びだした受注入力フォーマット図４に記入し事業者に送付する。【００３５】  なお、上記商品の選択は、合成後に選択することで説明したが、次のようにしても良い。つまり、表情や向きの異なった複数の顔、複数種類の着物、及び複数種類の帯が、それぞれ統一された位置、大きさの処理後画像情報として、情報保存手段１０１に保存して、表示情報作作成手段１０３により、ユーザ端末からの要求で個別に選択可能に表示させ、ユーザの選択したに顔の画像、着物の画像、及び帯の画像を画像合成手段１０２で合成するように構成にすることにより、ユーザは、より自由度をもって似合いを検討できる。【００３６】［第２の実施形態］
次に本発明の第２実施の形態について説明する。第１の実施形態では着物、帯、ユーザの顔の各画像がサーバ１００内に保存していたが、第２の実施形態ではユーザの顔の画像をユーザの端末３００内に保存し、着物、帯等の着用物品をサーバ１００で保存し、それらをユーザ端末側で合成する形態について図１２により説明する。着物と帯の画像情報の事前作成と保存については第１の実施形態と同様なので省略する。図１２では、顔の画像情報の事前作成と保存に関してはユーザの登録に際し自分の顔の画像を事業者に送付し事業者により着物や帯と同様の内容の処理を受けた画像情報（処理後顔画像情報）を事業者より送付を受けて、ユーザ端末３００の情報保存手段３０２に保存する。ユーザ端末３００にはさらにサーバ１００内の合成手段１０２と同じ機能の合成手段３０６（合成に用いるソフトウェア）の提供も受ける。【００３７】この方法では、合成がユーザ端末３０１上で行われる。このため、事業者側処理にかかる負担が少ないと同時に、ユーザの顔の画像が事業者のサーバ１００上に存在しないため悪意のある者の使用を避けることができる。着物等の商品選択過程は第一実施形態と同様なので省略する。合成過程では情報入力手段３０２により選ばれた着物や帯の候補の識別情報を、通信手段を介して事業者に送る。そしてその識別情報により該当する処理後着物画像情報、処理後帯画像情報を情報保存手段１０１より読み出して通信手段１０４を介してユーザ端末３００に転送された後、情報保存手段に３０２保存される。この場合、処理後着物画像情報、処理後帯画像情報は、事前に保存されている処理後顔画像情報と合成された後に保存される場合と、一旦そのまま保存後に表示の前などに処理後顔画像情報と合成される場合がある。合成過程の詳細は第１実施形態と同様なので省略する。ユーザの端末３００に保存された画像情報（処理後顔画像情報）と、事業者のサーバ１００から転送された後、ユーザ端末３００の情報保存手段３０２に保存された、選ばれた候補の処理後着物画像情報、処理後帯画像情報との合成後着用画像の表示（図２あるいは図３のような表示形態で）を表示手段３０２上で閲覧することができる。ユーザは似合うかどうかを確認しながら、最終の選択を行う。選択された着物の情報を、事業者側サーバより通信手段を介して呼びだした受注入力フォーマットに記入し事業者に送付する。【００３８】［第３の実施形態］
次に本発明形態の第三実施形態について、説明する。
扱う商品の範囲として、事業者が所持する着物以外に、所持する着物や帯を一時的に事業者を仲介して貸してその見返りとして貸し料を得ることを了解する着物所持者の着物または帯とする。着物所持者は事業者に上記の着物や帯を登録する。事業者は所有者から借り出した着物や帯を使用し第１の実施形態と同様にデジタル写真を撮影する。事業者はデジタル写真の提供を受けても良い。画像の事前作成については第１の実施形態形態や、第２の実施形態と同様なので省略する。作成された情報（処理後顔画像情報）は事業者のサーバ１００内の情報保存手段１０１に保存されるか、または処理後個別画像情報として事業者端末４００より送付を受けたユーザ端末３００に保存される。借用品選択過程は第１実施形態または第２実施形態と同一なので省略する。【００３９】［第４の実施形態］
次に本発明に係る第４の実施形態を図１３及び図１４に基づいて説明する。
第４の実施形態では着物、帯、及び顔の各画像情報の事前作成において、あらかじめ決められた座標上の範囲を設け、その範囲でのみデータ合成の判断を行うものである。例えば第１の実施形態での座標に加え、図１３のように顔と周囲を含む範囲（座標領域）をあらかじめ決めておいて、範囲毎にデータを記憶しておき、合成時には、合成手段１０２が、いずれの範囲のデータを採用するかを自動的に判断して編集する。つまり、第１実施形態のように当初からピクセル単位で図９や図１０の情報をサーチして決定していきのではなく、ある程度、領域ごとに判断できるようにすることによって、合成の速度アップを図ったものである。【００４０】編集する画面の割り振りは、第１の実施形態の説明で使用した、画面全体のピクセル上の座標として横１２００ピクセル、縦９００ピクセルの画面を考え、やはり同様にその座標の横方向３００の位置に人物が立っている画面を考える。着物の座標は（３００，７００）の襟の位置と（３００，１００）のすその位置の間に、顔の座標は（３００，８００）の頭の位置と（３００，７００）の首の位置の間に、また帯の座標は（３００，５５０）と（３００，４５０）の間にそれぞれ配置するなども同様である。ここで顔及びその周囲（顔を含む範囲）として（２５０，７００）、（３５０，７００）、（２５０，８００）、（３５０，８００）の４点の四角形の部分（座標領域、以下、「顔周辺データ」という。）を決める。【００４１】  そして、図１３のように予め、顔周辺データと、それ以外の着物、帯及び足袋を組み合わせたデータ（以下、「着物組データ」という。）とエリアを分けて、上記した処理後個別画像情報と同じレベル（以下、「顔周辺データ」「着物組データ」等を纏めて「組データ」という。）で、個別に記憶しておく。それらの各データは、図９や図１０のピクセル単位で構成された画像情報であって、それの範囲が、図１３のように四角枠の範囲とそれ以外の範囲に限定されている。そして、合成手段１０２が編集するとき、これらの組データを読み出して、合成それらする。それを簡単図１３を用いて説明する。図１３は、これを顔の周囲を中心に図にしたものである。合成手段１０２は、Ａ部では判断を行わずに着物組みデータをそのまま採用し、前述の四角形の範囲内においては、顔周辺データを採用し、さらにその中のＢ部では画像情報（例えば、図９の一部）のデータを用いて判断の結果、背景を含んだ着物のデータを、やはり四角形の範囲内であるＣ部では同様の判断の結果、顔のデータを採用する。合成手段１０２が判断するためのデータは四角形の範囲内でのみ必要である。そして、範囲以外では背景を含んだ着物の画像情報のデータを使用するので判断のための画像情報は不要である。【００４２】第４の実施形態における合成のフローチャートを図１４に示す。以下、図１４のステップ番号（Ｓ番号）にしたがって、説明する。
ステップＳ２１：合成手段１０２は、編集する画面のピクセル番号１〜最終ピクセル番号までどのデータを採用するか判断を開始する。
ステップＳ２１、Ｓ２２、Ｓ２７：指定された範囲があるかどうか判定し、なければ（Ｎ）、着物組データを採用し、そのデータのピクセル位置（座標）を記憶する。、
ステップＳ２４、Ｓ２５、Ｓ２７：指定された範囲がある場合（Ｙ）、指定された範囲の中で顔のデータが有効かどうか判断し、有効（Ｙ）であれば（つまり、図１３のＣ）、そのデータのピクセル位置（座標）を記憶する。
ステップＳ２６、Ｓ２７：指定された範囲の中で顔のデータが有効でないと判断（Ｎ）したときは（つまり、図１３のＢ）、そのデータのピクセル位置（座標）を記憶する
ステップＳ２８、Ｓ２９、Ｓ３０：このようにして、最終ピクセル番号までデータを収集して、各編集しようとするピクセル位置（座標）に収集したピクセル位置のデータを当てる事により、合成される。【００４３】このように最初に範囲を調べ範囲外である場合には背景を含んだ着物の画像情報のデータを一義的に採用するので、図１１の全画面において判断する場合に比べ処理時間の短縮がはかられる。なお範囲を調べる処理は、画像情報のデータを用いた判断の処理に比べ、データ数が少ない、ピクセルを順に変えていった時に、結果が同一で連続する範囲が大きくプログラム上で単純化した処理ができるなどの理由で、高速にできる。【００４４】  なお、帯についても、着物組データから分離して、帯データとして独立させ、顔周辺データ同様独立させて他の四角枠内に入れ、上記図１４のフローで採用できるようにしておくこともできる。【００４５】なお事前の処理の作業内容としては、図９のような画像情報から四角形の座標範囲内のみ必要部分以外の画像情報を削除すればよい。多数の帯や顔に対して同様の処理を行う。合成時の四角形の範囲内での判断の１方法としては、第一実施例で述べた方法と同様で、画像不要部分には意味のない情報であるという判別ができる情報を作成する。ＲＧＢ表現を用いたビットマップ形式の画像情報で顔を写した画像で四角形の範囲内であり顔以外の部分は、色の三要素とも最大の情報（１６進データＦＦ，ＦＦ，ＦＦ）を持たせるなどして、これを合成時の判別に使用する。なお上記の方法の合成に使用できるように作成された着物や帯や顔の個別情報（処理後着物画像情報、処理後帯画像情報）の保存方法や、顔画像情報の事業者とユーザのやりとりや保存方法については第１の実施形態、第２の実施形態、または第３の実施形態と同様なので省略する。【００４６】商品を選択する過程については第１の実施形態、第２の実施形態、あるいは第３の実施形態と同様なので省略する。合成過程はそれぞれ画像の情報を持つ複数枚の画像として、あらかじめ決められた同一座標上の限定された範囲のみ着物、顔、帯のデータ間での処理を行い、その範囲で前方に意味のある画像データが存在する時にはそれを使用し、その後方の情報は無視し、それ以外は後方のデータを使用して一枚の画像情報を作成するという方法により行う。【００４７】［第５の実施形態］
次に本発明形態の第５の実施形態について説明する。
第５の実施形態では着物、帯、顔の各画像情報の事前作成において、あらかじめ決められた座標上の範囲を設け、その範囲では一義的に必要な画像情報を使用するというものである。【００４８】図１５では、第１の実施形態の説明で使用した、画面全体のピクセル上の座標として横１２００ピクセル、縦９００ピクセルの画面を考え、やはり同様にその座標の横方向３００の位置に人物が立っている画面を考える。着物の座標は（３００，７００）の襟の位置と（３００，１００）のすその位置の間に、顔の座標は（３００，８００）の頭の位置と（３００，７００）の首の位置の間に、また帯の座標は（３００，５５０）と（３００，４５０）の間にそれぞれ配置するなども同様である。ここで顔及びその周囲として（２５０，７５０）、（３００，７００）、（３５０，７５０）、（２５０，８００）、（３５０，８００）の５点の野球のベース形の枠部分（座標領域）を決める。【００４９】例えば、図１５にベース形枠で示すように顔の画像情報のデータ（以下、「顔データ」という。）とベース形枠以外の顔＋背景の画像情報のデータ（以下、「着物周辺データ」という。）を予め、情報保存手段１０１に用意し、合成手段１０２は、それを読み出し、編集しよとするそのベース形枠のピクセル位置のデータは、その顔データのデータを一義的に全部を採用し、ベース形枠外のピクセル位置のデータとしては、着物周辺データを採用する。つまり、どの枠か、枠外かにより、採用するデータを決めてしまおうという決定方法である。このようにすれば個々の画像データによる判断は不要なため処理速度の大幅向上が見込まれる。【００５０】合成手段１０２は、図１５において大部分を占めるＡの範囲については背景を含んだ着物の画像情報のデータを判断せずに採用する。また顔を含むＢの範囲はやはり判断せずに顔の画像情報のデータを採用する。Ｂの範囲のうちＢ‘  で示させる顔の周囲部分は、登録時においてあらかじめ背景を含んだ着物のデータと同一のデータを（つまり事業者があらかじめ保持している共通の背景のデータを）ベース形枠内の顔以外の部分のデータとして作成することにより、合成時に顔かその周囲かの判断を行う必要がなくなるようにする。【００５１】図１６は第５実施例の合成時のフローチャートを示す。以下、図１５のステップ番号（Ｓ番号）にしたがって、説明する。
ステップＳ４１：合成手段１０２は、編集する画面のピクセル番号１〜最終ピクセル番号までどのデータを採用するか判断を開始する。
ステップＳ４２、Ｓ４３、Ｓ４５：指定された範囲があるかどうか判定し、なければ（Ｎ）、着物周辺データを採用し、そのデータのピクセル位置（座標）を記憶する。
ステップＳ４４、Ｓ４５：指定された範囲がある場合（Ｙ）、顔データを採用し、そのデータのピクセル位置（座標）を記憶する。
ステップＳ４６、Ｓ４７、Ｓ４８：このようにして、最終ピクセル番号までデータを収集して、各編集しようとするピクセル位置（座標）に収集したピクセル位置のデータを当てる事により、合成される。【００５２】このように、合成手段１０２による、データを採用するときの判断は範囲内か外かだけで良いため、図１１に示される全画面において判断する場合に比べ処理時間の短縮がはかられる。なお範囲を判断する処理は、画像情報のデータを用いた判断の処理に比べ、データ数が少ない、ピクセル数を変えていった時に、結果が同一で連続する範囲が大きくプログラム上で一体化した処理ができるなど第４実施例と同様の理由で、高速にできる。【００５３】なお処理の作業手順としてはその座標範囲に対してのみ必要部分以外の画像情報を削除する処理を行う。顔の場合の例では、顔の部分を残し背景にある不用部分を削除する。しかしこのままでは合成時にその部分が抜けた画像ができるので、前述のように背景を含んだ着物の画像情報のデータを入力する。なお帯については通常は周囲が、一枚一枚異なる着物であり不自然な部分が発生する恐れが考えられるので、帯の大きさが一定な場合以外は、本方法は使いにくい。【００５４】作成された合成に使用される着物や帯の個別の情報（処理後着物画像情報、処理後帯画像情報）の保存に関しては第１の実施形態、第２の実施形態あるいは第３の実施形態と同様であるので省略する。また商品を選択する過程も同様であるので省略する。合成はあらかじめ決められた座標上の範囲は一義的にある画像情報を使用する方法で行われる。その後方の情報は無視し、それ以外は後方のデータを使用して一枚の画像情報を作成するという方法により行う。
【図面の簡単な説明】
【００５５】
【図１】通信ネットワークを利用した実施形態の概略機能ブロック図である。
【図２】通常着用画像情報の例を示す図である。
【図３】合成後画像情報の例を示す図である。
【図４】申し込み書の例を示す図である。
【図５】処理前画像情報の位置関係を説明するための図である。
【図６】処理前画像情報の位置関係を説明するための図である。
【図７】処理後画像情報による合成（レイヤ）を説明するための図である。
【図８】画像のピクセルによる構成を説明するための図である。
【図９】ピクセルによる合成（レイヤ）を説明するための図である。
【図１０】ピクセルによる合成（レイヤ）を説明するための図である。
【図１１】合成過程のフローチャートである。
【図１２】他の実施形態の概略機能構成を示す機能ブロック図である。
【図１３】第４の実施形態における合成を説明するための図である。
【図１４】第４の実施形態における合成過程のフローチャートである。
【図１５】第５の実施形態における合成を説明するための図である。
【図１６】第５の実施形態における合成過程のフローチャートである。
【符号の説明】
【００５６】１００  サーバ
２００  ネットワーク
３００  ユーザ端末
４００  事業者端末
【図１】
2006350979.tif 000003
【図２】
2006350979.tif 000004
【図３】
2006350979.tif 000005
【図４】
2006350979.tif 000006
【図５】
2006350979.tif 000007
【図６】
2006350979.tif 000008
【図７】
2006350979.tif 000009
【図８】
2006350979.tif 000010
【図９】
2006350979.tif 000011
【図１０】
2006350979.tif 000012
【図１１】
2006350979.tif 000013
【図１２】
2006350979.tif 000014
【図１３】
2006350979.tif 000015
【図１４】
2006350979.tif 000016
【図１５】
2006350979.tif 000017
【図１６】
2006350979.tif 000018